(57)【要約】【課題】ユーザのプライバシの保護を確保しつつ、着信時の報知手段における利便性の向上の工夫が施された情報処理端末、その情報処理端末の報知方法、およびプログラムを提供する。【解決手段】本発明の情報処理端末は、予め定められた、情報処理端末の利用エリアを表す利用情報を情報処理端末内に設けられた記憶部に登録する利用情報登録手段と、その利用情報ごとに予め定められた、着信時の情報処理端末の報知動作を表す報知情報を記憶部に登録する報知情報登録手段と、情報処理端末が着信時の利用情報を表す着信時情報を取得する着信時情報取得手段と、利用情報と着信時情報とに基づいて現在の利用情報を特定し、特定した利用情報に基づいて報知情報を決定する報知情報決定手段と、報知情報決定手段にて決定された報知情報に基づいての情報処理端末の報知動作を制御する報知動作制御手段と、を備えたことを特徴とする。【選択図】図１０
2008219729.tif 000002
【特許請求の範囲】
【請求項１】
基地局を介して無線通信を行う携帯型の情報処理端末であって、
予め定められた、ユーザのスケジュールを表すスケジュール情報を情報処理端末内に設けられた記憶部に登録するスケジュール登録手段と、
前記スケジュール情報ごとに予め定められた、着信時の情報処理端末の報知動作を表す報知情報を前記記憶部に登録する報知情報登録手段と、
着信時に情報処理端末の現在における前記スケジュール情報に対応する着信時情報を取得する着信時情報取得手段と、
前記スケジュール情報と前記着信時情報とに基づいて現在のスケジュール情報を特定し、特定したスケジュール情報に基づいて前記報知情報を決定する報知情報決定手段と、
前記報知情報決定手段にて決定された報知情報に基づいて情報処理端末の報知動作を制御する報知動作制御手段と、を備えたことを特徴とする情報処理端末。
【請求項２】
基地局を介して無線通信を行う携帯型の情報処理端末であって、
予め定められた、情報処理端末の利用エリアを表す、及び／又は、利用時間帯を表す利用情報を情報処理端末内に設けられた記憶部に登録する利用情報登録手段と、
前記利用情報ごとに予め定められた、着信時の情報処理端末の報知動作を表す報知情報を前記記憶部に登録する報知情報登録手段と、
着信時に情報処理端末の現在位置する利用エリアを表す、及び／又は、現在時刻を表す着信時情報を取得する着信時情報取得手段と、
前記利用情報と前記着信時情報とに基づいて現在の利用情報を特定し、特定した利用情報に基づいて前記報知情報を決定する報知情報決定手段と、
前記報知情報決定手段にて決定された報知情報に基づいて情報処理端末の報知動作を制御する報知動作制御手段と、を備えたことを特徴とする情報処理端末。
【請求項３】
前記着信時情報取得手段は、前記利用エリアを表す情報を情報処理端末が通信可能な前記基地局から取得する、ことを特徴とする請求項２記載の情報処理端末。
【請求項４】
前記着信時情報取得手段は、前記情報処理端末が現在位置登録している前記基地局から利用エリアを表す情報を受信して取得する、ことを特徴とする２又は３記載の情報処理端末。
【請求項５】
前記報知情報登録手段にて登録された報知情報は、着信音による呼出し動作と、振動による呼出し動作と、無音による呼出し動作と、のうちの少なくとも１つの報知動作を表す情報である、ことを特徴とする請求項２から４のうちいずれか１項記載の情報処理端末。
【請求項６】
前記利用エリアが、都道府県単位の利用エリアである、ことを特徴とする請求項２から５のうちいずれか１項記載の情報処理端末。
【請求項７】
基地局を介して無線通信を行う携帯型の情報処理端末の報知方法であって、
前記情報処理端末が、
ユーザのスケジュールを表すスケジュール情報を情報処理端末内に設けられた記憶部に登録するスケジュール登録工程と、
前記スケジュール情報ごとに、着信時の情報処理端末の報知動作を表す報知情報を前記記憶部に登録する報知情報登録工程と、
着信時に、情報処理端末の前記スケジュール情報に対応する着信時情報を取得する着信時情報取得工程と、
前記スケジュール情報と前記着信時情報とに基づいて現在のスケジュール情報を特定し、特定したスケジュール情報に基づいて前記報知情報を決定する報知情報決定工程と、
前記報知情報決定工程にて決定された報知情報に基づいて情報処理端末の報知動作を制御する報知動作工程と、を備えたことを特徴とする情報処理端末の報知方法。
【請求項８】
基地局を介して無線通信を行う携帯型の情報処理端末の報知方法であって、
前記情報処理端末が、
情報処理端末の利用エリアを表す、及び／又は、利用時間帯を表す利用情報を情報処理端末内に設けられた記憶部に登録する利用情報登録工程と、
前記利用情報ごとに、着信時の情報処理端末の報知動作を表す報知情報を前記記憶部に登録する報知情報登録工程と、
着信時に情報処理端末の現在位置する利用エリアを表す、及び／又は、現在時刻を表す着信時情報を取得する着信時情報取得工程と、
前記利用情報と前記着信時情報とに基づいて現在の利用情報を特定し、特定した利用情報に基づいて前記報知情報を決定する報知情報決定工程と、
前記報知情報決定工程にて決定された報知情報に基づいて情報処理端末の報知動作を制御する報知動作工程と、を備えたことを特徴とする情報処理端末。
【請求項９】
基地局を介して無線通信を行う携帯型の情報処理端末に、
予め定められた、ユーザのスケジュールを表すスケジュール情報を情報処理端末内に設けられた記憶部に登録するスケジュール登録手段と、
前記スケジュール情報ごとに予め定められた、着信時の情報処理端末の報知動作を表す報知情報を前記記憶部に登録する報知情報登録手段と、
着信時に、情報処理端末の前記スケジュール情報に対応する着信時情報を取得する着信時情報取得手段と、
前記スケジュール情報と前記着信時情報とに基づいて現在のスケジュール情報を特定し、特定したスケジュール情報に基づいて前記報知情報を決定する報知情報決定手段と、
前記報知情報決定手段にて決定された報知情報に基づいて情報処理端末の報知動作を制御する報知動作制御手段と、を実現するためプログラム。
【請求項１０】
基地局を介して無線通信を行う携帯型の情報処理端末に、
予め定められた、情報処理端末の利用エリアを表す、及び／又は、利用時間帯を表す利用情報を情報処理端末内に設けられた記憶部に登録する利用情報登録手段と、
前記利用情報ごとに予め定められた、着信時の情報処理端末の報知動作を表す報知情報を前記記憶部に登録する報知情報登録手段と、
着信時に情報処理端末の現在位置する利用エリアを表す、及び／又は、現在時刻を表す着信時情報を取得する着信時情報取得手段と、
前記利用情報と前記着信時情報とに基づいて現在の利用情報を特定し、特定した利用情報に基づいて前記報知情報を決定する報知情報決定手段と、
前記報知情報決定手段にて決定された報知情報に基づいて情報処理端末の報知動作を制御する報知動作制御手段と、を実現するためプログラム。
【発明の詳細な説明】
【技術分野】
【０００１】
本発明は、報知手段を有する携帯情報端末、その情報処理端末の報知手段を制御する制御方法、およびプログラムに関する。
【背景技術】
【０００２】
近年、携帯電話やＰＨＳ（Ｐｅｒｓｏｎａｌ  Ｈａｎｄｙｐｈｏｎ  Ｓｙｓｔｅｍ）（以下、ＰＨＳも含めて携帯電話と称する）等の携帯情報端末が普及している。
【０００３】
従来より、携帯電話による報知手段として、着信時に着信音による呼出し動作（鳴音着信）、振動による呼出し動作や無音による呼出し動作（無鳴音着信）等が知られており、さらに、このような着信時の報知手段に付加価値をつける技術が提案されている（例えば、特許文献１参照）。
【０００４】
特許文献１に開示された技術によれば、基地局からの受信信号によって、携帯電話の着信通知方法を鳴動着信と無鳴音着信とのいずれかに切り替える手段を設け、携帯電話のユーザが、基地局内で提供する着信通知判定システムに予めユーザのスケジュール等と登録する。これにより、ユーザの携帯電話に発呼が生じると、着信通知判定システムがユーザのスケジュールを参照し、日付と時間帯に応じて、ユーザの携帯電話の着信方法を切り替える。すると、ユーザの携帯電話では、自動的に鳴動着信と無鳴音着信に切り替えられる。この着信通知判定システムでは、例えば、携帯電話が位置登録している基地局の利用エリアごとにユーザの携帯電話の着信方法を切り替えることもできる。
【０００５】
【特許文献１】特開２００２−１８６０４０号公報
【発明の開示】
【発明が解決しようとする課題】
【０００６】
しかしながら、上述した着信通知判定システムでは、予め基地局の端末にアクセスして、ユーザのスケジュール等の個人情報を登録しなければならない。この場合、ユーザによっては、自己の個人情報を外部の端末に登録することに心理的な抵抗を生じてしまうという問題が生じる。また、個人情報の漏洩のおそれもある。
【０００７】
さらに、利用するエリアや時間帯に報知内容の変更が生じた場合、基地局の端末にアクセスして設定をしなおさなければならず、手間がかかるという問題も生じる。
【０００８】
本発明は、上記事情に鑑み、ユーザのプライバシの保護を確保しつつ、着信時の報知手段における利便性の向上の工夫が施された情報処理端末、その情報処理端末の報知方法、およびプログラムを提供することを目的とする。
【課題を解決するための手段】
【０００９】
上記目的を達成する本発明の第１の情報処理端末は、
基地局を介して無線通信を行う携帯型の情報処理端末であって、
予め定められた、ユーザのスケジュールを表すスケジュール情報を情報処理端末内に設けられた記憶部に登録するスケジュール登録手段と、
上記スケジュール情報ごとに予め定められた、着信時の情報処理端末の報知動作を表す報知情報を上記記憶部に登録する報知情報登録手段と、
着信時に、情報処理端末の上記スケジュール情報に対応する着信時情報を取得する着信時情報取得手段と、
上記スケジュール情報と上記着信時情報とに基づいて現在のスケジュール情報を特定し、特定したスケジュール情報に基づいて上記報知情報を決定する報知情報決定手段と、
上記報知情報決定手段にて決定された報知情報に基づいて情報処理端末の報知動作を制御する報知動作制御手段と、を備えたことを特徴とする。
【００１０】
本発明の第１の情報処理端末によれば、まず、スケジュール登録手段にて、ユーザのスケジュールを表すスケジュール情報が情報処理端末内に設けられた記憶部に登録される。また、上記報知情報登録手段にて、着信時の情報処理端末の報知動作を表す報知情報が上記記憶部に登録される。
【００１１】
そして、上記スケジュール情報、報知情報を登録後、上記着信時情報取得手段にて、着信時に、まず、情報処理端末の上記スケジュール情報に対応する着信時情報を取得する。次に、上記報知情報決定手段にて、上記スケジュール情報と上記着信時情報とに基づいて現在のスケジュール情報を特定し、特定したスケジュール情報に基づいて上記報知情報を決定する。続いて、報知動作制御手段にて、上記報知情報決定手段にて決定された報知情報に基づいて情報処理端末の報知動作を制御する。
【００１２】
上記構成によれば、予め基地局の端末にアクセスして、ユーザのスケジュール等を登録する必要がなく、ユーザのプライバシの保護が確保される。また、利用するエリアや時間帯に報知内容の変更が生じた場合、基地局の端末にアクセスして設定をしなおす必要もなく、利便性の向上が図られる。
【００１３】
また、上記目的を達成する本発明の第２の情報処理端末は、
基地局を介して無線通信を行う携帯型の情報処理端末であって、
予め定められた、情報処理端末の利用エリアを表す、及び／又は、利用時間帯を表す利用情報を情報処理端末内に設けられた記憶部に登録する利用情報登録手段と、
上記利用情報ごとに予め定められた、着信時の情報処理端末の報知動作を表す報知情報を上記記憶部に登録する報知情報登録手段と、
着信時に情報処理端末の現在位置する利用エリアを表す、及び／又は、現在時刻を表す着信時情報を取得する着信時情報取得手段と、
上記利用情報と上記着信時情報とに基づいて現在の利用情報を特定し、特定した利用情報に基づいて上記報知情報を決定する報知情報決定手段と、
上記報知情報決定手段にて決定された報知情報に基づいて情報処理端末の報知動作を制御する報知動作制御手段と、を備えたことを特徴とする。
【００１４】
本発明の第２の情報処理端末によれば、まず、利用情報登録手段にて、予め定められた、情報処理端末の利用エリアを表す、及び／又は、利用時間帯を表す利用情報が情報処理端末内に設けられた記憶部に登録される。また、報知情報登録手段にて、上記利用情報ごとに予め定められた、着信時の情報処理端末の報知動作を表す報知情報が上記記憶部に登録される。
【００１５】
そして、上記利用情報、報知情報を登録後、上記着信時情報取得手段にて、着信時に情報処理端末の現在位置する利用エリアを表す、及び／又は、現在時刻を表す着信時情報を取得する。次に、上記報知情報決定手段にて、上記利用情報と上記着信時情報とに基づいて現在の利用情報を特定し、特定した利用情報に基づいて上記報知情報を決定する。続いて、上記報知動作制御手段にて、上記報知情報決定手段にて決定された報知情報に基づいて情報処理端末の報知動作を制御する。
【００１６】
上記構成によれば、予め基地局の端末にアクセスして、ユーザの利用情報や報知情報等を登録する必要がなく、ユーザのプライバシの保護が確保される。また、利用するエリアや時間帯に報知内容の変更が生じた場合、基地局の端末にアクセスして設定をしなおす必要もなく、利便性の向上が図られる。
【００１７】
また、上記着信時情報取得手段は、利用エリアを表す情報を情報処理端末が通信可能な上記基地局から取得する、ことが好ましい。
【００１８】
これにより、情報処理端末が通信可能な基地局から利用エリアを表す情報を取得して、上記報知情報に応じて、ユーザの情報処理端末は報知動作が制御される。
【００１９】
また、上記着信時情報取得手段は、上記情報処理端末が現在位置登録している上記基地局から利用エリアを表す情報を受信して取得する、ことが好ましい。
【００２０】
これにより、ユーザが移動中に位置登録する基地局に変更が生じた場合であっても、上記情報処理端末が現在位置登録している最新の上記基地局から利用エリアを表す情報を受信する。
【００２１】
また、上記報知情報登録手段にて登録された報知情報は、着信音による呼出し動作と、振動による呼出し動作と、無音による呼出し動作と、のうちの少なくとも１つの報知動作を表す情報である、ことが好ましい。
【００２２】
これにより、ユーザは、着信時に着信音による呼出し動作（鳴音着信）、振動による呼出し動作や無音による呼出し動作（無鳴音着信）のいずれかの報知を受けられる。
【００２３】
また、上記利用エリアが、都道府県単位の利用エリアである、ことが好ましい。
【００２４】
これにより、ユーザは、都道府県単位の利用エリアで報知動作を変えることができ、都道府県単位の利用エリアで報知動作を変えたいユーザにとっては、利便性が向上する。
【００２５】
ここで、上記目的を達成する本発明の情報処理端末の第１の報知方法は、
基地局を介して無線通信を行う携帯型の情報処理端末の報知方法であって、
上記情報処理端末が、
ユーザのスケジュールを表すスケジュール情報を情報処理端末内に設けられた記憶部に登録するスケジュール登録工程と、
上記スケジュール情報ごとに、着信時の情報処理端末の報知動作を表す報知情報を上記記憶部に登録する報知情報登録工程と、
着信時に、情報処理端末の上記スケジュール情報に対応する着信時情報を取得する着信時情報取得工程と、
上記スケジュール情報と上記着信時情報とに基づいて現在のスケジュール情報を特定し、特定したスケジュール情報に基づいて上記報知情報を決定する報知情報決定工程と、
上記報知情報決定工程にて決定された報知情報に基づいて情報処理端末の報知動作を制御する報知動作工程と、を備えたことを特徴とする。
【００２６】
本発明の情報処理端末の第１の報知方法によれば、まず、上記スケジュール登録工程にて、ユーザのスケジュールを表すスケジュール情報を情報処理端末内に設けられた記憶部に登録する。また、上記報知情報登録工程にて、上記スケジュール情報ごとに、着信時の情報処理端末の報知動作を表す報知情報を上記記憶部に登録する。
【００２７】
そして、上記スケジュール情報、報知情報を登録後、上記着信時情報取得工程にて、着信時に、情報処理端末の上記スケジュール情報に対応する着信時情報を取得する。次に、上記報知情報決定工程にて、上記スケジュール情報と上記着信時情報とに基づいて現在のスケジュール情報を特定し、特定したスケジュール情報に基づいて上記報知情報を決定する。続いて、上記報知動作工程にて、上記報知情報決定工程にて決定された報知情報に基づいて情報処理端末の報知動作を制御する。
【００２８】
これにより、予め基地局の端末にアクセスして、ユーザの利用情報や報知情報等を登録する必要がなく、ユーザのプライバシの保護が確保される。また、利用するエリアや時間帯に報知内容の変更が生じた場合、基地局の端末にアクセスして設定をしなおす必要もなく、利便性の向上が図られる。
【００２９】
ここで、上記目的を達成する本発明の情報処理端末の第２の報知方法は、
基地局を介して無線通信を行う携帯型の情報処理端末の報知方法であって、
上記情報処理端末が、
情報処理端末の利用エリアを表す、及び／又は、利用時間帯を表す利用情報を情報処理端末内に設けられた記憶部に登録する利用情報登録工程と、
上記利用情報ごとに、着信時の情報処理端末の報知動作を表す報知情報を上記記憶部に登録する報知情報登録工程と、
着信時に情報処理端末の現在位置する利用エリアを表す、及び／又は、現在時刻を表す着信時情報を取得する着信時情報取得工程と、
上記利用情報と上記着信時情報とに基づいて現在の利用情報を特定し、特定した利用情報に基づいて上記報知情報を決定する報知情報決定工程と、
上記報知情報決定工程にて決定された報知情報に基づいて情報処理端末の報知動作を制御する報知動作工程と、を備えたことを特徴とする。
【００３０】
本発明の情報処理端末の第２の報知方法によれば、まず、上記利用情報登録工程にて、情報処理端末の利用エリアを表す、及び／又は、利用時間帯を表す利用情報を情報処理端末内に設けられた記憶部に登録する。また、上記報知情報登録工程にて、上記利用情報ごとに、着信時の情報処理端末の報知動作を表す報知情報を上記記憶部に登録する。
【００３１】
続いて、上記利用情報、報知情報登録後、着信時情報取得工程にて、着信時に情報処理端末の現在位置する利用エリアを表す、及び／又は、現在時刻を表す着信時情報を取得し、上記報知情報決定工程にて、上記利用情報と上記着信時情報とに基づいて現在の利用情報を特定し、特定した利用情報に基づいて上記報知情報を決定する。さらに、上記報知動作工程
にて、上記報知情報決定手段にて決定された報知情報に基づいて情報処理端末の報知動作を制御する。
【００３２】
これにより、予め基地局の端末にアクセスして、ユーザの利用情報や報知情報等を登録する必要がなく、ユーザのプライバシの保護が確保される。また、利用するエリアや時間帯に報知内容の変更が生じた場合、基地局の端末にアクセスして設定をしなおす必要もなく、利便性の向上が図られる。
【００３３】
ここで、上記目的を達成する本発明の情報処理端末の第１のプログラムは、
基地局を介して無線通信を行う携帯型の情報処理端末に、
予め定められた、ユーザのスケジュールを表すスケジュール情報を情報処理端末内に設けられた記憶部に登録するスケジュール登録手段と、
上記スケジュール情報ごとに予め定められた、着信時の情報処理端末の報知動作を表す報知情報を上記記憶部に登録する報知情報登録手段と、
着信時に、情報処理端末の上記スケジュール情報に対応する着信時情報を取得する着信時情報取得手段と、
上記スケジュール情報と上記着信時情報とに基づいて現在のスケジュール情報を特定し、特定したスケジュール情報に基づいて上記報知情報を決定する報知情報決定手段と、
上記報知情報決定手段にて決定された報知情報に基づいて情報処理端末の報知動作を制御する報知動作制御手段と、を実現する。
【００３４】
ここで、上記目的を達成する本発明の情報処理端末の第２のプログラムは、
基地局を介して無線通信を行う携帯型の情報処理端末に、
予め定められた、情報処理端末の利用エリアを表す、及び／又は、利用時間帯を表す利用情報を情報処理端末内に設けられた記憶部に登録する利用情報登録手段と、
上記利用情報ごとに予め定められた、着信時の情報処理端末の報知動作を表す報知情報を上記記憶部に登録する報知情報登録手段と、
着信時に情報処理端末の現在位置する利用エリアを表す、及び／又は、現在時刻を表す着信時情報を取得する着信時情報取得手段と、
上記利用情報と上記着信時情報とに基づいて現在の利用情報を特定し、特定した利用情報に基づいて上記報知情報を決定する報知情報決定手段と、
上記報知情報決定手段にて決定された報知情報に基づいて情報処理端末の報知動作を制御する報知動作制御手段と、を実現する。
【発明の効果】
【００３５】
本発明によれば、ユーザのプライバシの保護を確保しつつ、着信時の報知手段における利便性の向上の工夫が施された情報処理端末、その情報処理端末の報知方法、およびプログラムが提供される。
【発明を実施するための最良の形態】
【００３６】
以下、図面を参照して本発明の実施形態を説明する。ここでは、本発明のプログラムに基づいて動作する携帯型の情報処理端末、その情報処理端末で実行される本発明の報知方法について説明する。
【００３７】
なお、以下では、本発明の情報処理端末として、携帯電話を例に挙げて説明する。但し、これは一例であって、携帯電話に限られず、上記特徴を有する他の携帯型の情報処理端末（例えば、ＰＨＳ、ＰＤＡ（Ｐｅｒｓｏｎａｌ  Ｄｉｇｉｔａｌ  Ａｓｓｉｓｔａｎｔ）など）であってもよい。
【実施例１】
【００３８】
[構成]
＜携帯電話＞
図１は、本発明の一実施形態としての携帯電話の正面図である。図１に示すように、本発明における携帯電話１には、表示部１０、操作部１１が設けられている。この表示部１０は、液晶表示用の液晶ＬＣＤ（ＬＣＤ：Ｌｉｑｕｉｄ  ＣｒｙｓｔａｌＤｉｓｐｌａｙ）からなり、携帯電話１のメニュー等を表示するものである。
【００３９】
この操作部１１には、１から０までのテンキー、電源キー、通話キー、クリアキー、＊キー、および＃キーなどの操作キー１２やメニュー切替・実行キー１３が設けられている。このメニュー切替・実行キー１３は、４つのメニュー切替キー（１３１ａ〜１３１ｄ）と実行キー１３２から構成されており、ユーザは、メニュー切替キー（１３１ａ〜１３１ｄ）により表示部１０に表示されるメニュー等を自在に切り替えて設定条件を選択し、実行キー１３２を押下することで選択条件の操作を実行させる。この操作部１１は、操作キー１２やメニュー切替・実行キー１３の操作を受け付けて後述する制御部（ＣＰＵ：Ｃｅｎｔｒａｌ  ｐｒｏｃｅｓｓｉｎｇ  Ｕｎｉｔ）に処理の命令を出すものである。
【００４０】
また、携帯電話１には、スピーカ発音口１４および受話口１５が設けられている。スピーカ発音口１４は、携帯電話内部に設けられているスピーカの音声を聞き取るものであり、受話口１５は携帯電話内部に設けられたマイクにユーザの声を導くものである。
【００４１】
図２は、図１に示す携帯電話の内部構成図である。また、図３は、図２に示す制御部および記憶部の内部構成図である。
【００４２】
この携帯電話１には、制御部２および記憶部３が設けられている。記憶部３には、図３に示すとおり、利用エリアＤＢ（Ｄａｔａｂａｓｅ）３１と、利用時間帯ＤＢ３２と、曲名ＤＢ３３と、報知情報ＤＢ３４といった４種類のデータベースが形成される。
【００４３】
図４は、利用エリアＤＢ内の情報の一例を示す図である。利用エリアＤＢ３１には、携帯電話の基地局の利用エリアが登録されており、ユーザは表示部１０のメニュー画面から、利用したい基地局の利用エリアを選択することができる。
【００４４】
図５は、利用時間帯ＤＢ内の情報の一例を示す図である。利用時間帯ＤＢ３２は、ユーザにて、所定の報知動作の利用時間帯を登録するものである。ユーザは表示部１０のメニュー画面から、利用時間帯を登録することができる。
【００４５】
図６は、曲名ＤＢ内の情報の一例を示す図である。曲名ＤＢ３３は、鳴音による着信音を音楽の曲で行う場合、曲名を選択して登録するものである。この曲名ＤＢ３３には、曲名に対応する音楽ファイルも格納されており、この音楽ファイルが着信音に利用される。
【００４６】
図７は、報知情報ＤＢ内の情報の一例を示す図である。図７（ａ）は、利用エリアに対応付けられた報知情報ＤＢ３４の情報の一例を示す図である。図７（ａ）では、ユーザが利用エリアＤＢ３１で登録した利用エリアを抽出してリスト化し、利用エリアごとに、着信音による呼出し動作（鳴音着信）、振動による呼出し動作や無音による呼出し動作（無鳴音着信）の報知動作を登録している。
【００４７】
また、図７（ｂ）は、利用時間帯に対応付けられた報知情報ＤＢ３４の情報の一例を示す図である。図７（ｂ）では、ユーザが利用時間帯ＤＢ３２で登録した利用時間帯ごとに、着信音による呼出し動作（鳴音着信）、振動による呼出し動作や無音による呼出し動作（無鳴音着信）の報知動作を登録している。
【００４８】
また、制御部２は、この携帯電話１の動作を総合的に制御するものである。そして、この制御部２には、本発明の一実施形態であるプログラムが組み込まれることによって、利用登録部２１、報知情報登録部２２、着信時情報取得部２３、報知情報決定部２４、および報知動作制御部２５が構築される。
【００４９】
利用情報登録部２１は、ユーザが利用する予定の基地局の利用エリアを利用エリアＤＢ３１に登録したり、ユーザが所定の報知動作を利用したい利用時間帯を利用時間帯ＤＢ３２に登録する（利用情報登録手段）。この利用情報登録手段が、本発明にいうスケジュール登録手段の一例に相当する。また、利用情報登録部２１は、鳴音による着信音を音楽の曲で行う場合、ユーザにより選択された曲名を曲名ＤＢ３３に登録するものである。
【００５０】
また、報知情報登録部２２は、利用情報登録部２１にて登録された利用エリアや利用時間帯に対応付けて、着信音による呼出し動作（鳴音着信）、振動による呼出し動作や無音による呼出し動作（無鳴音着信）を選択して報知情報ＤＢ３４に登録するものである（報知情報登録手段）。
【００５１】
図８は、利用情報登録手段の一例を示す図である。ユーザが、メニュー切替・実行キー１３にて選択することにより、携帯電話１の表示画面１０には、報知モードの設定の有無が表示される（図８（ａ））。ここで、報知モードは、利用情報の一例であって、ユーザが、メニュー切替・実行キー１３にて、ＹＥＳを選択して実行すると、報知モード選択画面が表示される（図８（ｂ））。
【００５２】
ここで、ユーザがモード１を選択すると、基地局の利用エリアが複数表示されて、例えば、そのうちの１つを選択すると、報知動作選択画面が表示される（図８（ｃ））。そして、ユーザは、鳴音、振動、無音のいずれかをメニュー切替・実行キー１３にて選択して実行することで、報知情報ＤＢ３４には、ユーザが選択した利用エリアに対応する着信時の報知動作が登録される。
【００５３】
また、着信時情報取得部２３は、携帯電話１が基地局に現在位置登録している利用エリアを表す着信時情報を着信時に基地局から取得したり、現在時刻を表す着信時情報を取得する（着信時情報取得手段）。基地局では、携帯電話１に発呼が発生すると、現在位置登録している利用エリアを表す利用情報や現在時刻を表す情報を着信時情報として、携帯電話１に発信する。一方、携帯電話１では、着信時にその着信時情報を受信する。
【００５４】
また、報知情報決定部２４は、この着信時情報から利用情報登録部２１に登録されている利用情報の中から、現在位置登録している利用エリアや時間帯を特定し、特定した利用エリアや時間帯から、報知情報ＤＢ３４を参照して、報知動作を決定する（報知情報決定手段）。
【００５５】
また、報知動作制御部２５は、報知情報決定手段にて決定された報知情報に基づいて、鳴音もしくは振動による着信の報知動作の場合には、報知部４を介して携帯電話１の報知動作を制御する。
【００５６】
ここで、再び、図２の説明に戻る。この携帯電話１には、報知部４が設けられている。報知部４は、着信音による呼出し動作（鳴音着信）、振動による呼出し動作や無音による呼出し動作（無鳴音着信）を制御するものである。この報知部４には、呼出音を発生する回路が設けられており、着信時に鳴音着信をする場合には、この回路を介して着信音を発生する。また、この報知部４には、バイブレータも設けられており、着信時に振動による呼出し動作（ＶＩＢ：Ｖｉｂｒａｔｉｏｎ）をする場合には、バイブレータが振動する。また、無音による呼出しの場合には、着信時に表示部１の表示画面に「着信有り」のメッセージを表示する。
【００５７】
また、この携帯電話１には、基地局へ発着番号等を送受信するアンテナ６１と、無線の送受信を行う無線部６と、無線部６によって送受信するデータをコード化したり、コード化したデータをデコード化するベースバンド部５が設けられている。また、携帯電話１に電力を供給する電源７、表示部１０、および操作部１１が設けられている。表示部１０、および操作部１１は上述したとおりである。
【００５８】
[動作]
次に本発明の第１の実施例における携帯電話１の動作について説明する。
【００５９】
図９は、本発明の第１の実施例における報知方法の処理を表すフローチャートである。
【００６０】
まず、ユーザが利用する予定の基地局の利用エリアを図３に示す利用エリアＤＢ３１に登録したり、ユーザが所定の報知動作を利用したい利用時間帯を利用時間帯ＤＢ３２に登録する（ステップＳ１０１、利用情報登録工程）。続いて、報知情報登録部２２では、利用情報登録部２１にて登録された利用エリアや利用時間帯に対応付けて、着信音による呼出し動作（鳴音着信）、振動による呼出し動作や無音による呼出し動作（無鳴音着信）を選択して報知情報ＤＢ３４に登録する（ステップＳ１０２、報知情報登録工程）。以下、具体的に、この利用情報登録工程、報知情報登録工程について説明する。
【００６１】
図１０は、利用情報登録工程および報知情報登録工程の処理を表すフローチャートである。この処理ルーチンは、ユーザが携帯電話１の電源をオンして起動させた後、メニュー切替・実行キー１３を操作することにより、図１に示す表示画面１０にて報知モード設定のメニューを選択することにより開始する（ステップＳ２０１）。ここで、モード設定を行う場合には（ステップＳ２０２：Ｙｅｓ）、図８（ａ）に示す表示内容が表示画面１０に表示される（ステップＳ２０３）。
【００６２】
ここで、ユーザが、図８（ａ）に示すモード設定の有無を選択するモード設定画面にて、メニュー切替・実行キー１３を操作することにより「Ｙｅｓ」を選択して実行すると（ステップＳ２０４：Ｙｅｓ）、報知モードの実行を意味する報知モードオンが確定し、（ステップＳ２０５）、図８（ｂ）に示す表示内容が表示画面に表示される（ステップＳ２０６）。
【００６３】
例えば、ユーザがモード１のエリア別を選択すると（ステップＳ２０７）、基地局の利用エリアが複数表示される。そして、ユーザがモード設定したい基地局を選択することにより（ステップＳ２０８）、図４（ｃ）に示す報知動作選択画面が表示される。そして、ユーザが、鳴音、振動、無音のいずれかをメニュー切替・実行キー１３にて選択し（ステップＳ２０９）、報知情報ＤＢ３４には、ユーザが選択した利用エリアに対応する着信時の報知動作が登録される。（ステップＳ２１０）。なお、ステップＳ２０８において、ユーザがモード設定したい基地局を複数選択した場合には、ステップＳ２０９では、利用エリアの報知動作を選択するたびに、図７（ｃ）のメニュー画面が再度表示されて、次の利用エリアの報知動作を登録できるものとする。以下同様とする。
【００６４】
また、ステップＳ２０７のモード選択において、ユーザがモード２のエリア別を選択すると（ステップＳ２０７）、表示画面にて、ユーザが日付や時間を登録することができるようになり（ステップＳ２１１）、ユーザが操作部１１のキー操作をすることにより、日付や時間を入力すると、図８（ｃ）に示す報知動作選択画面が表示される。そして、ユーザが、鳴音、振動、無音のいずれかをメニュー切替・実行キー１３にて選択し（ステップＳ２０９）、報知情報ＤＢ３４には、ユーザが選択した日付の時間帯に対応する着信時の報知動作が登録される。（ステップＳ２１０）。
【００６５】
また、ステップＳ２０７のモード選択において、ユーザがモード３のエリア別を選択すると（ステップＳ２０７）、表示画面にて、利用エリアごとに日時を設定できるようになり、ユーザが操作部１１のキー操作をすることにより、利用エリアを選択し、日付や時間を入力すると、図８（ｃ）に示す報知動作選択画面が表示される。そして、ユーザが、鳴音、振動、無音のいずれかをメニュー切替・実行キー１３にて選択し（ステップＳ２０９）、報知情報ＤＢ３４には、ユーザが選択した利用エリアごとに日付の時間帯に対応する着信時の報知動作が登録される。（ステップＳ２１０）。
【００６６】
そして、モード設定が終了し（ステップＳ２１６）、待ち受け画面が表示部１０に表示され（ステップＳ２１７）、この処理ルーチンは終了する。
【００６７】
ここで、ステップＳ２０２にて、モード設定をしない場合には（ステップＳ２０２：Ｎｏ）、報知モードの行わないことを意味する報知モードオフが確定し、（ステップＳ２１５）、モード設定が終了し（ステップＳ２１６）、待ち受け画面が表示部１０に表示され（ステップＳ２１７）、この処理ルーチンは終了する。また、ステップＳ２０４にて、報知モード設定を行わない場合には（ステップＳ２０４：Ｎｏ）、報知モードオフが確定し、（ステップＳ２１５）、モード設定が終了し（ステップＳ２１６）、待ち受け画面が表示部１０に表示され（ステップＳ２１７）、この処理ルーチンは終了する。
【００６８】
以上で、利用情報登録工程、報知情報登録工程の処理が終了する。続いて、図９の報知方法の処理を表すフローチャートの着信時情報取得工程の処理について説明する。
【００６９】
図１１は、基地局と携帯電話との関係を表す図である。図１１において、基地局１００では、携帯電話１に発呼が発生すると、現在位置登録している利用エリアのデータや現在時刻のデータをコード化した後、着信時情報として携帯電話１に発信する。携帯電話１では、図２に示すアンテナ６１を介して無線部６に着信時情報が受信され、ベースバンド部５では、その着信時情報をデコード化し、図３に示す着信時情報取得部２３が、着信時情報を取得する（ステップＳ１０３、着信時情報取得工程）。
【００７０】
続いて、報知情報決定部２４では、報知動作を決定する。ここで、一例として、着信時情報が利用エリアを表す「基地局Ａ」であった場合、報知情報決定部２４は、図７（ａ）の報知情報ＤＢ３４を参照し、ユーザが利用情報登録手段により登録した利用情報である基地局Ａを特定し、その基地局Ａに対応付けられた報知動作として、「鳴音」を決定する（ステップＳ１０４、報知情報決定工程）。
【００７１】
また、一例として、着信時情報が利用時間帯を表す「９：００〜１０：００」であった場合、報知情報決定部２４は、図７（ｂ）の報知情報ＤＢ３４を参照し、ユーザが利用情報登録手段により登録した利用情報である利用時間帯「９：００〜１０：００」を特定し、その利用時間帯に対応付けられた報知動作として、「鳴音」を決定する（ステップＳ１０４、報知情報決定工程）。
【００７２】
次に、報知動作制御部２５は、報知情報決定工程にて決定された報知情報に基づいて、鳴音もしくは振動による着信の報知動作の場合には、報知部４を介して報知動作を行い、また、無音による呼出しの場合には、着信時に表示部１の表示画面に「着信有り」のメッセージを表示する（ステップＳ１０５、報知動作制御工程）。そして、この処理ルーチンは終了する。
【実施例２】
【００７３】
[構成]
次に、本発明の第２の実施例について説明する。本実施例においても、本発明の第１の実施例と同様な箇所については、説明を省略し、実施例１と異なる構成について説明する。第１の実施例と第２の実施例の違いは、利用情報登録手段と報知情報登録手段である。本実施例では、利用エリアを都道府県単位に拡大し、着信音を都道府県ごとに曲名を設定するようにしている。なお、以下、利用エリアを単にエリアと称することもある。
【００７４】
[動作]
図１２は、本発明の第２の実施例における利用情報登録工程および報知情報登録工程の処理を表すフローチャートである。また、図１３は、利用情報登録手段の一例を示す図である。
【００７５】
この処理ルーチンは、ユーザが携帯電話１の電源をオンして起動させた後、メニュー切替・実行キー１３を操作することにより、図１に示す表示画面１０にて利用エリア設定のメニューを選択することにより開始する（ステップＳ３０１）。ここで、利用エリア設定を行う場合には（ステップＳ３０２：Ｙｅｓ）、図１３に示す表示内容が表示画面１０に表示される（ステップＳ３０３）。
【００７６】
ここで、ユーザが、図１３に示すエリア設定の有無を選択するモード設定画面にて、メニュー切替・実行キー１３を操作することにより、都道府県ごとに、ＯＮもしくはＯＦＦに選択する（ステップＳ３０４）。ここで、ＯＮを選択した場合、ユーザにより、図３に示す曲名ＤＢ３３に登録されている曲名から任意の曲名を都道府県ごとに選択する（ステップＳ３０５）。そして、図１３の表示画面上のＯＫを選択すると（ステップＳ５０６）、着信音を音楽で鳴らしたい利用エリアが確定する（ステップＳ３０７）。
【００７７】
これにより、報知情報ＤＢ３４には、ユーザが選択した利用エリアごとに対応する着信時の報知動作が登録される。（ステップＳ２１０）。例えば、北海道の項目をＯＮに選択すると、北海道の利用エリアの基地局から携帯電話１に着信があると、ユーザが北海道の利用エリア用に選択した曲が着信音として報知される。
【００７８】
利用エリアが確定すると、モード設定は終了し（ステップＳ３０９）、待ち受け画面が表示部１０に表示され（ステップＳ３０９）、この処理ルーチンは終了する。
【００７９】
ここで、ステップＳ３０２にて、モード設定をしない場合には（ステップＳ３０２：Ｎｏ）、報知モードの行わないことを意味する報知モードオフが確定し、（ステップＳ３０８）、モード設定が終了し（ステップＳ３０９）、待ち受け画面が表示部１０に表示され（ステップＳ３１０）、この処理ルーチンは終了する（図９に示す、利用情報登録工程（ステップＳ１０１）および報知情報登録工程（ステップＳ１０２））。
【００８０】
以下の動作は、実施例１と同様である（図９に示す、着信時情報取得工程（ステップＳ１０３）、報知情報決定工程（ステップＳ１０４）、および報知動作制御工程（ステップＳ１０５））。
【実施例３】
【００８１】
[構成]
次に、本発明の第３の実施例について説明する。本実施例においても、本発明の第１の実施例と同様な箇所については、説明を省略し、実施例１と異なる構成について説明する。第１の実施例と第３の実施例の違いは、利用情報登録手段と報知情報登録手段である。本実施例では、利用エリアをグループ分けし、グループごとに着信音の曲名を設定するようにしている。
【００８２】
[動作]
図１４は、本発明の第３の実施例における利用情報登録工程および報知情報登録工程の処理を表すフローチャートである。また、図１５は、利用情報登録手段の一例を示す図である。
【００８３】
この処理ルーチンは、ユーザが携帯電話１の電源をオンして起動させた後、メニュー切替・実行キー１３を操作することにより、図１に示す表示画面１０にて利用エリア設定のメニューを選択することにより開始する（ステップＳ４０１）。ここで、利用エリア設定を行う場合には（ステップＳ４０２：Ｙｅｓ）、図１５（ａ）に示す表示内容が表示画面１０に表示される（ステップＳ４０３）。
【００８４】
ここで、ユーザが、図１５（ａ）に示すグループ選択するモード設定画面にて、メニュー切替・実行キー１３を操作することにより、グループ１を選択すると（ステップＳ４０４）、図１５（ｂ）に示す都道府県設定画面が表示される（ステップＳ４０５）。ここで、ユーザが、都道府県を選択して入力すると（ステップＳ４０６）、報知情報ＤＢ３４には、ユーザが選択したグループごとに対応する着信時の報知動作が登録される。（ステップＳ４０７）。
【００８５】
これにより、利用エリアが確定すると、モード設定は終了し（ステップＳ４０９）、待ち受け画面が表示部１０に表示され（ステップＳ４１０）、この処理ルーチンは終了する。
【００８６】
ここで、ステップＳ４０２にて、モード設定をしない場合には（ステップＳ４０２：Ｎｏ）、報知モードの行わないことを意味する報知モードオフが確定し、（ステップＳ４０８）、モード設定が終了し（ステップＳ４０９）、待ち受け画面が表示部１０に表示され（ステップＳ４１０）、この処理ルーチンは終了する（図９に示す、利用情報登録工程（ステップＳ１０１）および報知情報登録工程（ステップＳ１０２））。
【００８７】
以下の動作は、実施例１と同様である（図９に示す、着信時情報取得工程（ステップＳ１０３）、報知情報決定工程（ステップＳ１０４）、および報知動作制御工程（ステップＳ１０５））
【実施例４】
【００８８】
[構成]
次に、本発明の第４の実施例について説明する。本実施例においても、本発明の第１の実施例と同様な箇所については、説明を省略し、実施例１と異なる構成について説明する。第１の実施例と第２の実施例の違いは、利用情報登録手段と報知情報登録手段である。本実施例では、利用エリアを都道府県単位に拡大し、着信音を都道府県ごとに曲名を設定するようにしている。
【００８９】
[動作]
図１６は、本発明の第４の実施例における利用情報登録工程および報知情報登録工程の処理を表すフローチャートである。また、図１７は、利用情報登録手段の一例を示す図である。
【００９０】
この処理ルーチンは、ユーザが携帯電話１の電源をオンして起動させた後、メニュー切替・実行キー１３を操作することにより、図１に示す表示画面１０にて時間帯設定のメニューを選択することにより開始する（ステップＳ５０１）。ここで、時間帯設定を行う場合には（ステップＳ５０２：Ｙｅｓ）、図１７に示す表示内容が表示画面１０に表示される（ステップＳ５０３）。
【００９１】
ここで、ユーザが、図１７に示す時間帯設定を選択するモード設定画面にて、メニュー切替・実行キー１３を操作することにより、時間帯ごとに、図３に示す曲名ＤＢ３３に登録されている曲名から任意の曲名を都道府県ごとに選択する（ステップＳ５０５）。そして、図１７の表示画面上のＯＫを選択すると（ステップＳ５０６）、時間帯が確定する（ステップＳ５０７）。これにより、報知情報ＤＢ３４には、ユーザが選択した時間帯ごとに対応する着信時の報知動作が登録される。なお、ステップＳ５０５にて、曲名を選択しない場合には、振動による呼出し動作（ＶＩＢ）を選択するものとする。
【００９２】
時間帯が確定すると、モード設定は終了し（ステップＳ５０９）、待ち受け画面が表示部１０に表示され（ステップＳ５１０）、この処理ルーチンは終了する。
【００９３】
ここで、ステップＳ５０２にて、モード設定をしない場合には（ステップＳ５０２：Ｎｏ）、報知モードの行わないことを意味する報知モードオフが確定し、（ステップＳ５０８）、モード設定が終了し（ステップＳ５０９）、待ち受け画面が表示部１０に表示され（ステップＳ５１０）、この処理ルーチンは終了する（図９に示す、利用情報登録工程（ステップＳ１０１）および報知情報登録工程（ステップＳ１０２））。
【００９４】
以下の動作は、実施例１と同様である（図９に示す、着信時情報取得工程（ステップＳ１０３）、報知情報決定工程（ステップＳ１０４）、および報知動作制御工程（ステップＳ１０５））
【００９５】
以上より、ユーザのプライバシの保護を確保しつつ、着信時の報知手段における利便性の向上の工夫が施された情報処理端末、その情報処理端末の報知方法、およびプログラムが提供される。
【００９６】
なお、上記実施例では、情報処理端末の利用エリアを基地局が提供する利用エリアとして説明しているが、利用エリアは、基地局が提供する利用エリアに限定されるものではなく、情報処理端末を所持しているユーザが現在いる位置を示す地図上のエリア（地図上の区画単位）であってもよい。この場合、情報処理端末がＧＰＳ（Ｇｌｏｂａｌ  Ｐｏｓｉｔｉｏｎｉｎｇ  Ｓｙｓｔｅｍ）機能を搭載し、現在の情報処理端末の位置情報を取得することにより、報知動作を行いたい利用エリアであるか否かの判定をして、報知動作の制御を行ってもよい。
【産業上の利用可能性】
【００９７】
本発明は、無線通信手段を備えた携帯型の情報処理端末に利用することができ、産業上の利用可能性を有する。
【図面の簡単な説明】
【００９８】
【図１】本発明の一実施形態としての携帯電話の正面図である。
【図２】図１に示す携帯電話の内部構成図である。
【図３】図２に示す制御部および記憶部の内部構成図である。
【図４】利用エリアＤＢ内の情報の一例を示す図である。
【図５】利用時間帯ＤＢ内の情報の一例を示す図である。
【図６】曲名ＤＢ内の情報の一例を示す図である。
【図７】報知情報ＤＢ内の情報の一例を示す図である。
【図８】利用情報登録手段の一例を示す図である。
【図９】本発明の第１の実施例における報知方法の処理を表すフローチャートである。
【図１０】利用情報登録工程および報知情報登録工程の処理を表すフローチャートである。
【図１１】基地局と携帯電話との関係を表す図である。
【図１２】本発明の第２の実施例における利用情報登録工程および報知情報登録工程の処理を表すフローチャートである。
【図１３】利用情報登録手段の一例を示す図である。
【図１４】本発明の第３の実施例における利用情報登録工程および報知情報登録工程の処理を表すフローチャートである。
【図１５】利用情報登録手段の一例を示す図である。
【図１６】本発明の第４の実施例における利用情報登録工程および報知情報登録工程の処理を表すフローチャートである。
【図１７】利用情報登録手段の一例を示す図である。
【符号の説明】
【００９９】
１  携帯電話
２  制御部
３  記憶部
４  報知部
５  ベースバンド部
６  無線部
７  電源
１０  表示部
１１  操作部
１２  操作キー
１３  メニュー切替・実行キー
１４  スピーカ発音口
１５  受話口
２１  利用登録部
２２  報知情報登録部
２３  着信時情報取得部
２４  報知情報決定部
２５  報知動作制御部
３１  利用エリアＤＢ
３２  利用時間帯ＤＢ
３３  曲名ＤＢ
３４  報知情報ＤＢ
６１  アンテナ
１００  基地局
【図１】
2008219729.tif 000003
【図２】
2008219729.tif 000004
【図３】
2008219729.tif 000005
【図４】
2008219729.tif 000006
【図５】
2008219729.tif 000007
【図６】
2008219729.tif 000008
【図７】
2008219729.tif 000009
【図８】
2008219729.tif 000010
【図９】
2008219729.tif 000011
【図１０】
2008219729.tif 000012
【図１１】
2008219729.tif 000013
【図１２】
2008219729.tif 000014
【図１３】
2008219729.tif 000015
【図１４】
2008219729.tif 000016
【図１５】
2008219729.tif 000017
【図１６】
2008219729.tif 000018
【図１７】
2008219729.tif 000019